(57)【要約】      （修正有）【課題】街中に溢れている道路標識、カーブミラー、公園の遊具等の柱（以下「対象となる柱」という）が犬のマーキングによる尿が原因で腐食してしまい倒壊した事故も起き、その対策として防錆塗料の再塗布するか支柱の交換などを行うとともに、定期的なパトロールなどをする事で莫大な経費が掛かっているので、既存の対象となる柱を犬のマーキングによる尿などから保護できる様に容易に取付られ、製作面・施工面で費用をを押さえられる物を提供する。【解決手段】差込部2を挿入溝3に差し込む事で、特別な工具や施工方法が必要なく、既存の対象となる柱に容易に設置でき、挿入溝3の位置を変える事で太さの違う対象となる柱に対応する事ができる。さらに1枚の非金属素材から結合部を含め全てを形成する事で施工効率と生産性に優れ費用を押さえる事ができる。【選択図】図１
2018071069.tif 000002
【特許請求の範囲】
【請求項１】
板状の非金属素材から成る柱カバー本体と、前記柱カバー本体の一端側に配置した係合部と、前記柱カバー本体の他端側に前記係合部と対向して配置した被係合部と、前記柱カバー本体の縦方向に複数配置した凹形状部と、前記柱カバー本体の下方側における凹形状部相互間に配置した開口部と、前記開口部の上方向に設けられた庇状部とを備えることを特徴とする柱カバー。
【請求項２】
前記係合部は、前記被係合部に差し込むことにより対象となる柱に容易に設置できるが、設置後前記係合部は内部に隠れるため取外しは容易にできないことを特徴とする請求項１に記載の柱カバー。
【発明の詳細な説明】
【技術分野】
【０００１】
本発明は、道路標識やカーブミラーや公園の遊具等の柱に尿などが直接掛からないようにする為の柱カバーに関する。
【背景技術】
【０００２】
本発明に関する従来技術は、対象となる柱に腐食防止処理をするのではなく（例えば、特許文献１参照。）に記載されるような柱に取付けるカバーがある。
【０００３】
以下文献の柱カバーについて説明する。タッピングネジをスカート部の合わせ目部分裏側のビス止め用框に締付けて止め、コンクリート釘等で道路に打ち付けて固定されている。
【先行技術文献】
【特許文献】
【０００４】
【特許文献１】特開2005-264695号公報
【発明の概要】
【発明が解決しようとする課題】
【０００５】
しかしながら、上記従来の柱カバーでは設置する際に特別な工具や施工方法が必要であり、施工効率や生産性が悪く費用が抑えられないと言う問題と、上下部ともに固定している為に浸入してきた雨水を排出できず、また換気もできない為に内部で起こる結露も防げないと言う問題があった。
【課題を解決するための手段】
【０００６】
上述した課題を解決するために、本発明の柱カバーは、板状の非金属素材から成る柱カバー本体と、前記柱カバー本体の一端側に配置した係合部と、前記柱カバー本体の他端側に前記係合部と対向して配置した被係合部と、前記柱カバー本体の縦方向に複数配置した凹形状部と、前記柱カバー本体の下方側における凹形状部相互間に配置した開口部と、前記開口部の上方向に設けられた庇状部とを備えることを特徴とする。
【０００７】
前記係合部は、前記被係合部に差し込むことにより対象となる柱に容易に設置できるが、設置後前記係合部は内部に隠れるため取外しは容易にできないことを特徴とする。
【発明の効果】
【０００８】
本発明の柱カバーは、板状の非金属素材から成る柱カバー本体に柱カバー本体の一端側に配置した係合部と、柱カバー本体の他端側に前記係合部と対向して配置した被係合部と柱カバー本体の縦方向に複数配置した凹形状部とにより特別な工具や施工方法を必要とせず容易に設置でき、柱カバー本体の下方側における凹形状部相互間に配置した開口部と、開口部の上方向に設けられた庇状部とにより浸入してきた雨水を排出でき、また換気もできる為に内部で起こる結露も防ぐことができる。
【図面の簡単な説明】
【０００９】
【図１】設置イメージ図である。
【図２】展開図である。
【図３】断面図である。
【図４】結合部拡大図である。
【図５】差込部の変形過程図である。
【図６】最下部拡大図である。
【図７】雨水の流れ図である。
【図８】外気と湿った空気の流れ図である。
【図９】犬などの尿の流れ図である。
【発明を実施するための形態】
【００１０】
1枚の非金属素材から柱カバー本体と係合部と被係合部と凹形状部と開口部と庇形状と全てを形成する事で費用を押さえ、既存の対象となる柱に可能な限り容易に設置する事を実現した。
以下、図面に基づいて本発明の使用例について説明する。なお、以下に参照する図面において、同じ符号は同様の構成要素を示す。
【実施例】
【００１１】
図1は、本発明を対象となる柱に設置したイメージ図であって、設置した状態ではほぼ円筒状になる。1は柱カバー本体、2は係合部である差込部、3は被係合部である挿入溝、4は凹形状部、5は開口部、6は庇形状である。
【００１２】
図2は、本発明の設置前の展開図であって、図に示されるように柱カバー本体1は、１枚の板状の非金属素材から全てが形成されていて、生産性が高く費用を抑えることができる。差込部1は左端に等間隔に複数設け、挿入溝3は差込部1と反対側の同じ高さに設け、差込部1を挿入溝2に差込むことで容易に設置できる。また挿入溝2を同じ高さに複数設け、その挿入位置で太さの違う柱に対応できる。
【００１３】
図3は、本発明の断面図であって、上図が設置前、下図が設置後になる。凹形状部4を分かりやすく書いたもので、凹形状部4は対象となる柱に円筒状に設置した際に起こる曲げ戻りを抑える事ができる。凹形状部4と凹形状部4の間には小判型はの庇形状6がある。下図の上部は差込部1が挿入溝2に挿入され柱カバー本体1の内側に入っている。
【００１４】
図4は、本発明の結合部分を拡大した図であって、結合用の差込部2を挿入溝3に差し込む事で結合でき特別な工具と施工方法を必要とせず容易に設置でき、差込部2は挿入溝3に挿入後に凹形状部4と凹形状部4の間の柱カバー本体1凸部に収まる大きさになっている。また同じ高さに有る複数の挿入溝3の位置を変える事で太さの違う柱に対応し、さらに太い柱には複数枚の柱カバーを繋ぎ合わせる事で対応できる。
【００１５】
図5は、差込部2の変形過程を表した図であって、差込部2は挿入溝3より縦幅が大きいが挿入時に変形し縦幅が減少し設置後は元に戻り抜けるのを防止する。また柱カバー本体1の内側に差込部2全体が隠れるので取外しは容易でなく盗難や悪戯を防止できる。
【００１６】
図6は、本発明の下部を拡大した図であって、凹形状部4と凹形状部4の間にある切れ込みの入った開口部5を上方向に折り曲げる事で庇形状6ができ、開口部5は本発明と対象となる柱との間に浸入した雨水を排出と、外気の給気と内部の換気ができる。最下部の開口部5と地面の間にはカバー本体は無いのでスムーズに排水でき、庇形状6は外側からの雨水や尿などに浸水を押さえる事ができる。この開口部5を枯葉やゴミが塞いだ場合は本発明を上方向に上げることで枯葉やゴミを容易に排除することができる。また結合時に重なり合った部分の内側になった庇形状6は取除いてしまうか、内側に折り曲げることで重なり合った部分の開口部5が開口できる。
【００１７】
図7は、本発明と対象となる柱の間に浸入した雨水の流れを表した図であって、設置条件により多少違いがあるが概ねこの様に開口部5から排出され、庇形状6により外部からの雨水の浸入を防げる。また設置時に本発明の上部と対象となる柱を充填材などにより密着させる事も可能だが、気象条件による素材の伸縮や充填材の劣化破損により、時間の経過とともに雨水が浸入してしまう、この場合にも開口部5により雨水を排出する事で雨水による腐食を防止できる。
【００１８】
図8は、本発明と対象となる柱の間に溜まる湿度の高い内気と外気の流れを表した図であって、設置条件により多少違いがあるが概ねこの様に流れる。湿度の高い空気は軽く上昇するので開口部5から外気を入れる事で換気効率を向上させ、湿度の高い内気の上昇を速めるる事で湿度による腐食を防止できる。
【００１９】
図9は、本発明にかかった犬などの尿の流れを表した図であって、設置条件により多少違いがあるが概ねこの様に流れる。庇形状6により開口部5から犬などの尿が浸入する事を防ぎ、対象となる柱にはかからず流れる。
【産業上の利用可能性】
【００２０】
差込部2を挿入溝3に差し込む設置方法で特別な工具と施工方法を必要とせずに対象となる柱に容易に設置でき為、既に施工済みの柱にも適用できる。
【符号の説明】
【００２１】
1柱カバー本体
2差込部
3挿入溝
4凹形状部
5開口部
6庇形状
【図１】
2018071069.tif 000003
【図２】
2018071069.tif 000004
【図３】
2018071069.tif 000005
【図４】
2018071069.tif 000006
【図５】
2018071069.tif 000007
【図６】
2018071069.tif 000008
【図７】
2018071069.tif 000009
【図８】
2018071069.tif 000010
【図９】
2018071069.tif 000011